(57)【要約】【課題】短期で施工が可能で、耐久性に優れたフーチング付き構造物の構築方法の提供。【解決手段】基礎構造物１１に接続された平板状のフーチング部１５と、フーチング部１５の中央上向きに形成された立ち上げ部１６とを備えたフーチング付き構造物１０の構築方法において、フーチング付き構造物１０を平板状のフーチング半体１９及びフーチング半体の側縁に上向きの立ち上げ部半体２０とからなる半体ブロック１７，１７に分割して成形しておき、半体ブロック１７を基礎構造物１１上に立ち上げ部半体２０，２０の分割側面２０ａ，２０ａを互いに突き合わせて設置した後、互いに対向した立ち上げ部半体２０，２０同士を接合させることにより半体ブロック１７，１７を一体化させる。【選択図】    図１
2004257098.tif 000002
【特許請求の範囲】
【請求項１】
基礎構造物に接続された平板状のフーチング部と、該フーチング部の中央上向きに形成された立ち上げ部とを備えたフーチング付き構造物の構築方法において、
前記フーチング付き構造物を、平板状のフーチング半体の側縁に上向きの立ち上げ部半体を有する半体ブロックに分割して成形しておき、該半体ブロックを基礎構造物上に前記立ち上げ部半体の分割側面を互いに突き合わせて設置した後、互いに対向した立ち上げ部半体同士を接合させることにより前記半体ブロックを一体化させることを特徴としてなるフーチング付き構造物の構築方法。
【請求項２】
フーチング半体に厚み方向に貫通した杭挿入孔を設けるとともに、基礎構造物上面に基礎杭の頭部を突出させておき、前記杭挿入孔に基礎杭の頭部が挿入されるように半体ブロックを基礎構造物上に配置し、互いに対向した立ち上げ部半体同士を接合させた後、前記杭挿入孔に充填材を充填する請求項１に記載のフーチング付き構造物の構築方法。
【請求項３】
突き合わされた立ち上げ部半体間をボルト締めにより接合する請求項１に記載のフーチング付き構造物の構築方法。
【請求項４】
突き合わされた立ち上げ部半体間にＰＣ引張材を貫通させ、該ＰＣ引張材を緊張させた状態で前記ＰＣ引張材の両端をそれぞれ立ち上げ部半体の表面側で定着させる請求項１に記載のフーチング付き構造物の構築方法。
【発明の詳細な説明】
【０００１】
【発明の属する技術分野】
本発明は、主に橋脚等として利用されるフーチング付き構造物の構築方法に関する。
【０００２】
【従来の技術】
一般に、橋脚等のフーチング付き構造物１は、図７に示すように、基礎杭２，２等からなる基礎構造物に連結された平板状のフーチング部３と、フーチング部３の中央上向きに形成された立ち上げ部４とがコンクリートにより一体に成形されている。
【０００３】
従来、かかるフーチング付き構造物は、基礎構造物の上面に型枠を組み立て、この型枠内にコンクリートを現場打ちすることにより施工するようにしている（例えば、特許文献１を参照）。
【０００４】
【特許文献１】
特開平１１−２４１３１１号公報（第００１２段落、図３〜図６）
【０００５】
【発明が解決しようとする課題】
しかし、上述のような従来の技術では、施工現場において、フーチング付き構造物を成型するための型枠の組立てやコンクリートの養生等を行うのに多大な手間を要するため、施工工期及び施工コストが増大してしまうという問題があり、一方、近年では、施工現場近隣の住民に対する騒音や振動等を考慮して、工期短縮による工事環境の改善が重要となっている。
【０００６】
このように施工現場における施工工期及び施工コストを削減する方法として、構造物を構成する部材を工場で予め形成しておき、そのプレキャストコンクリート製部材を施工現場において、組み立てる方法が採られているが、橋脚等のフーチング付き構造物は、大きいものでは外形寸法及び重量が嵩み、トレーラー等の運搬手段に積載することが難しく、輸送が困難であるという問題があった。
【０００７】
本発明は、このような従来の技術の状況を鑑み、短期で施工が可能で、耐久性に優れたフーチング付き構造物の構築方法の提供を目的とする。
【０００８】
【課題を解決するための手段】
上述の如き従来の問題を解決し、所期の目的を達成するための請求項１の発明は、基礎構造物に接続された平板状のフーチング部と、該フーチング部の中央上向きに形成された立ち上げ部とを備えたフーチング付き構造物の構築方法において、前記フーチング付き構造物を、平板状のフーチング半体の側縁に上向きの立ち上げ部半体を有する半体ブロックに分割して成形しておき、該半体ブロックを基礎構造物上に前記立ち上げ部半体の分割側面を互いに突き合わせて設置した後、互いに対向した立ち上げ部半体同士を接合させることにより前記半体ブロックを一体化させることを特徴とする。
【０００９】
このように構成することによって、短い期間で安価に施工することができ、且つ高品質で耐久性に優れたものとすることができる。
【００１０】
請求項２の発明は、請求項１の構成に加え、フーチング半体に厚み方向に貫通した杭挿入孔を設けるとともに、基礎構造物上面に基礎杭の頭部を突出させておき、前記杭挿入孔に基礎杭の頭部が挿入されるように半体ブロックを基礎構造物上に配置し、互いに対向した立ち上げ部半体同士を接合させた後、前記杭挿入孔に充填材を充填することを特徴とする。
【００１１】
このように構成することによって、フーチング付き構造物を基礎構造物に対して安定した状態で接続できるとともに、位置決めがし易く施工効率が向上する。
【００１２】
請求項３の発明は、請求項１又は２の構成に加え、突き合わされた立ち上げ部半体間をボルト締めにより接合することを特徴とする。
【００１３】
このように構成することによって、半体ブロック同士を好適に接合することができる。
【００１４】
請求項４の発明は、請求項１又は２の構成に加え、突き合わされた立ち上げ部半体間にＰＣ引張材を貫通させ、該ＰＣ引張材を緊張させた状態で前記ＰＣ引張材の両端をそれぞれ立ち上げ部半体の表面側で定着させることを特徴とする。
【００１５】
このように構成することによって、フーチング付き構造物に作用する剪断力が大きい場合であっても、大きな締付け力で半体ブロック間を好適に接合させることができる。
【００１６】
【発明の実施の形態】
次に、本発明の実施の形態を図について説明する。
【００１７】
図１は橋梁の支持構造を示し、符号１０は橋脚を構成するフーチング付き構造物、符号１１は基礎構造物である。
【００１８】
基礎構造物１１は、複数の基礎杭１２，１２と、基礎杭１２の上端部が接続された基礎コンクリート部１３とを備え、この基礎構造物１１上に橋脚、即ちフーチング付き構造物１０を構築するようになっている。
【００１９】
基礎杭１２は、内部に鉄筋籠１４を有する鉄筋コンクリート構造の棒状に場所打ちにより形成され、頭頂部より鉄筋籠の端部が突出して露出している。
【００２０】
鉄筋籠１４は、多数の縦筋１４ａを円周方向に間隔を隔てた平行配置に設け、縦筋の円形配置の外側に横拘束筋１４ｂを円環状又は螺旋状に配置して、縦筋１４ａと横拘束筋１４ｂとを籠状に組み合わせている。
【００２１】
橋脚を構成するフーチング付き構造物１０は、基礎構造物１１に接続された平板状のフーチング部１５と、フーチング部１５の中央上向きに形成された立ち上げ部１６とを備え、半体ブロック１７，１７を接合手段１８により互いに接合することにより形成されている。
【００２２】
各半体ブロック１７は、図２に示すように、フーチング付き構造物１０を分割した形状に成形され、平板状のフーチング半体１９と、フーチング半体１８の側縁より立ち上げた平板状の立ち上げ部半体２０とがプレキャストコンクリートにより断面Ｌ字状となるように一体に成形されている。
【００２３】
フーチング半体１９には、厚み方向に貫通した杭挿入孔２１，２１が形成され、この杭挿入孔２１内に基礎杭１２の頭部が挿入されるようになっている。
【００２４】
立ち上げ部半体２０は、平板状に形成され、厚み方向に貫通した挿通孔２２，２２…が形成されている。
【００２５】
接合手段１８は、図３に示すように、半体ブロック１７，１７を突き合わせることにより連通した挿通孔２２，２２にボルト２３を通し、他方の端部にナット２４を螺合させ、締め付けることによって、立ち上げ部半体２０，２０同士を接合、即ち、半体ブロック１７，１７同士を接合するようになっている。
【００２６】
尚、接合手段１８は、図４に示すように、立ち上げ部半体２０の表面に定着板２５を備え、ＰＣ鋼材等からなる引張材２６を半体ブロック１７，１７を突き合わせることにより連通した挿通孔２２，２２に緊張させた状態で挿通させ、その端部をそれぞれ定着板２５に楔２７，２７等を使用して定着させるようにしてもよい。
【００２７】
また、半体ブロック１７は、同一の型枠により形成することができるように同一形状とすることが好ましい。
【００２８】
次に、上述の半体ブロック１７，１７を用いたフーチング付き構造物１０の構築方法について説明する。
【００２９】
まず、図５（ａ）に示すように、地盤３０を下方に向けて、地盤を所定の深さ、即ち、支持層に到達する深さとなるまで掘削することにより場所打ち用穴３１，３１を形成する。
【００３０】
次に、図５（ｂ）に示すように、鉄筋籠１４を場所打ち用穴３１内に吊り降ろすとともに、場所打ち用穴３１内に水中コンクリートを場所打ちにより打設し、基礎杭１２を形成する。
【００３１】
このとき、基礎杭１２の頭頂部から鉄筋籠１４の端部が突出させておく。
【００３２】
そして、図５（ｃ）に示すように、表面から基礎杭１２の頭部が突出するように基礎コンクリート１３を打設し、基礎構造物１１が形成される。
【００３３】
次に、図６（ｄ）に示すように、半体ブロック１７，１７を、基礎杭１２の頭部が杭挿入孔２１に挿入されるように、位置を合わせて吊り降ろすとともに、半体ブロック１７の分割側面２０ａ，２０ａを互いに突き合わせる。
【００３４】
そして、図６（ｅ）に示すように、互いに突き合わされることによって、連通した挿通孔２２，２２にボルト２３を通して、ボルト締めにより両立ち上げ部半体２０，２０、即ち両半体ブロック１７，１７を接合させる。
【００３５】
次に、図６（ｆ）に示すように、杭挿入孔２１にコンクリートやモルタル等の充填材３２を打設して、杭挿入孔２１内を充填し、フーチング部１５と基礎杭１２，１２とを剛的に接続させる。
【００３６】
このとき、基礎杭１２の頭頂部より鉄筋籠１４の端部を突出させておくと、接続強度が向上する。
【００３７】
このようにして、フーチング付き構造物１０が構築される。
【００３８】
尚、上述の実施例では、橋脚に使用されるフーチング付き構造物について説明したが、その他、建築物の基礎構造を構成するフーチング付き構造物等にも適用することができる。
【００３９】
また、上述の実施例では、接合手段としてボルトを用いたもの及びＰＣ引張材を用いたものについて説明したが、分割側面同士を接着剤等を介して接合させてもよく、接着剤とボルト或いはＰＣ引張材とを併用するようにしてもよい。
【００４０】
【発明の効果】
上述のように、本発明に係るフーチング付き構造物の構築方法は、フーチング付き構造物を、フーチング半体の側縁に上向きの立ち上げ部半体を有する半体ブロックに分割して成形しておき、該半体ブロックを基礎構造物上に前記立ち上げ部半体の分割側面を互いに突き合わせて設置した後、互いに対向した立ち上げ部半体同士を接合させることにより前記半体ブロックを一体化させることによって、短い期間で安価に施工することができ、且つコンクリートの強度が高く、高品質で耐久性に優れたものとすることができる。
【００４１】
また、耐久性が向上することにより、橋脚等の構造物の断面積を小さくすることができ、材料費を節約することが可能となる。
【００４２】
特に、河川の中、住宅近隣、バイパス道路建設等の作業条件（工事条件）の悪い場所や、工期短縮が求められる場所において優位となる。
【００４３】
杭挿入孔に基礎杭の頭部が挿入されるように半体ブロックを基礎構造物上に配置し、互いに対向した立ち上げ部半体同士を接合させた後、前記杭挿入孔にコンクリートを充填することによって、フーチング付き構造物を基礎構造物に対して安定した状態で接続できるとともに、位置決めがし易く施工効率が向上する。
【００４４】
突き合わされた立ち上げ部半体間をボルト締め或いはＰＣ引張材を用いて接合することによって、フーチング付き構造物に作用する剪断力が大きい場合であっても、大きな締付け力で半体ブロック間を好適に接合させることができる。
【図面の簡単な説明】
【図１】橋脚を示す断面図である。
【図２】図１中の半体ブロックを示す斜視図である。
【図３】図１中の接合手段を示す部分拡大断面図である。
【図４】同上の他の接合手段を示す部分拡大断面図である。
【図５】（ａ）〜（ｃ）は基礎構造物構築工程を示す断面図である。
【図６】（ｄ）〜（ｆ）はフーチング付き構造物の構築工程を示す断面図である。
【図７】従来のフーチング付き構造物の一例を示す側面図である。
【符号の説明】
１０  橋脚（フーチング付き構造物）
１１  基礎構造物
１２  基礎杭
１３  基礎コンクリート部
１４  鉄筋籠
１４ａ  縦筋
１４ｂ  横拘束筋
１５  フーチング部
１６  立ち上げ部
１７  半体ブロック
１８  接合手段
１９  フーチング半体
２０  立ち上げ部半体
２１  杭挿入孔
２２  挿通孔
２３  ボルト
２４  ナット
２５  定着板
２６  引張材
２７  楔
３０  地盤
３１  場所打ち用穴
３２  充填材
【図１】
2004257098.tif 000003
【図２】
2004257098.tif 000004
【図３】
2004257098.tif 000005
【図４】
2004257098.tif 000006
【図５】
2004257098.tif 000007
【図６】
2004257098.tif 000008
【図７】
2004257098.tif 000009